(57)【要約】【課題】  カウンタの裏面側の複数の桟で構成される空所を有効活用することができるキッチンユニットを提供することにある。【解決手段】  裏面側に複数の縦桟２を有するカウンタ４を備えたキッチンユニット１において、隣り合う縦桟２で構成される空所５に引出し７又はサブカウンタが収容されてなるようにする。カウンタ４は前面に前垂３を有してなり、引出し７又はサブカウンタの前面に、カウンタ４の前垂３の一部を成す前板６を備えてなるようにする。【選択図】図１
2005304867.tif 000002
【特許請求の範囲】
【請求項１】
裏面側に複数の縦桟を有するカウンタを備えたキッチンユニットにおいて、
隣り合う縦桟で構成される空所に引出しが収容されてなることを特徴とするキッチンユニット。
【請求項２】
前記引出しの代わりにサブカウンタが収容されてなることを特徴とする請求項１記載のキッチンユニット。
【請求項３】
前記カウンタは前面に前垂を有してなり、
前記引出し又はサブカウンタの前面に、前記カウンタの前垂の一部を成す前板を備えてなることを特徴とする請求項１又は請求項２に記載のキッチンユニット。
【発明の詳細な説明】
【技術分野】
【０００１】
本発明は、カウンタ裏面側に引出しを備えたキッチンユニットに関するものである。
【背景技術】
【０００２】
従来より、キャビネットの上側にカウンタを備え、キャビネット内に収納部を有するキッチンユニットが知られている。（特許文献１）
特許文献１におけるキッチンユニットでは、キャビネット内において上部に引出しが備えられている。
【特許文献１】実開平７−１３２３６号公報
【発明の開示】
【発明が解決しようとする課題】
【０００３】
ところで、図５に示すように、従来のキッチンユニット２１においては、前垂２２ａを有するカウンタ２２（厚み４０ｍｍ）の裏面側に横桟２３や縦桟２４で構成される桟２５（厚み３２ｍｍ）が取り付けられた状態で、キャビネット２６の上部に取り付けられていた。
【０００４】
そのため、キャビネット２６に引出しを取り付ける際、引出しの上面が横桟２３及び縦桟２４の下面よりも下側になるため、カウンタ２２の裏面側の横桟２３及び縦桟２４で構成される空所２７が未利用のままであった。
【０００５】
本発明は、かかる事由に鑑みてなしたもので、その目的とするところは、カウンタの裏面側の複数の桟で構成される空所を有効活用することができるキッチンユニットを提供することにある。
【課題を解決するための手段】
【０００６】
上記課題を解決するために、本発明では、第１には、裏面側に複数の縦桟を有するカウンタを備えたキッチンユニットにおいて、隣り合う縦桟で構成される空所に引出しが収容されてなるようにする。
【０００７】
第２には、引出しの代わりにサブカウンタが収容されてなるようにする。
【０００８】
第３には、カウンタは前面に前垂を有してなり、引出し又はサブカウンタの前面に、カウンタの前垂の一部を成す前板を備えてなるようにする。
【発明の効果】
【０００９】
上記本発明の第１のキッチンユニットでは、カウンタの裏面側の複数の縦桟で構成される空所を有効活用することができ、収納スペースが広がる。
【００１０】
上記本発明の第２のキッチンユニットでは、上記第１のキッチンユニットと同様の効果が得られ、また、サブカウンタをカウンタの高さに近い位置に設けることができるので、調理作業がしやすくなる。
【００１１】
上記本発明の第３のキッチンユニットでは、上記第１のキッチンユニットと同様の効果が得られ、また、引出し又はサブカウンタの前面に、カウンタの前垂の一部を成す前板が備えられているので、引出し又はサブカウンタを収納した際にキッチンユニットの外観を損なうことがない。
【発明を実施するための最良の形態】
【００１２】
本発明の実施形態におけるキッチンユニット１について、図１〜４に基づいて説明する。本実施形態におけるキッチンユニット１は、図１〜３に示すように、裏面側に複数の縦桟２が設けられ前面に前垂３を有するカウンタ４を備えており、隣り合う縦桟２で構成される空所５に、前垂３の一部を成す前板６を有する引出し７が収容されるようになっている。
【００１３】
縦桟２はキッチンユニット１の前後方向に延びてキッチンユニット１の横方向に配列するように設けられており、後部はバックガード１０と接続され、前部は横桟１１と接続されて桟１２を構成している。
【００１４】
そして、桟１２には、隣り合う縦桟２で構成される空所５、５ａが形成されている。ここで、空所５ａは、例えばレンジやシンク等（図示せず）がそれぞれ取り付けられる位置に形成されるものであり、桟１２内において左右両側に形成されている。また、空所５は、上記の桟１２内において左右両側に形成された空所５ａによって挟まれた縦桟２によって構成されるものであり、本実施形態においては、空所５が隣り合うように２箇所に形成されている。
【００１５】
引出し７の外側の両側面には凸部８が設けられており、空所５を構成する縦桟２の空所５に対向する側面には凸部８が係合可能なレール９が設けられている。そして、レール９に凸部８を係合させることにより引出し７が空所５内において前後に摺動することができる。
【００１６】
カウンタ４は人造大理石からなり、レンジやシンク等（図示せず）を取り付けるための開口部４ａが、空所５ａの上方に位置するように設けられている。また、前面の前垂３の略中央には、凹部４ｂが設けられており、引出し７の前板６が収納されるようになっている。ここで、前板６は前垂３と同じ材料、同じ模様のものを使用することが好ましい。
【００１７】
カウンタ４とアルミ補助板１３は接着剤により接着されてカウンタ本体１６を構成する。  ここで、アルミ補助板１３にも、カウンタ４における開口部４ａの位置に合わせて開口部１３ａが設けられている。
【００１８】
バックガード１０は凹部１０ａを有しており、凹部１０ａにカウンタ本体１６の後端部が挿入される。そして、アルミ補助板１３と桟１２とはＬ型金具１４により着脱自在に取り付けられる。ここで、カウンタ本体１６と凹部１０ａの間には乾式目地１５が設けられており、これにより防水効果を奏するとともに、カウンタ本体１６を交換する際に、カウンタ本体１６を桟１２から取り外すことが可能となる。
【００１９】
また、図４に示すように、空所５内において、引出し７の代わりにサブカウンタ１７を設けてもよい。
【００２０】
以上のように、本実施形態におけるキッチンユニット１では、カウンタ４の裏面側の複数の縦桟２で構成される空所５を有効活用することができ、収納スペースが広がる。
【００２１】
また、サブカウンタ１７をカウンタ４の高さに近い位置に設けることができるので、調理作業がしやすくなる。
【００２２】
また、引出し７又はサブカウンタ１７の前面に、カウンタ４の前垂３の一部を成す前板６が備えられているので、引出し７又はサブカウンタ１７を収納した際にキッチンユニット１の外観を損なうことがない。
【００２３】
なお、横桟１１は縦桟２がぐらつかないように安定させることができればよく、できる限り厚みの薄いものが好ましい。さらに、横桟１１がなくても縦桟２が安定していれば、横桟１１は設けなくてもよい。
【図面の簡単な説明】
【００２４】
【図１】本発明の実施形態におけるキッチンユニット１の要部の分解斜視図である。
【図２】図１において引出し７を空所５に挿入した際のＡ−Ａ´断面図である。
【図３】図１においてカウンタ本体１６を桟１２に取り付けた際のＢ−Ｂ´断面図である。
【図４】図２において引出し７の代わりにサブカウンタ１７を挿入した際のＡ−Ａ´断面図である。
【図５】従来のキッチンユニット２１の断面図である。
【符号の説明】
【００２５】
１  キッチンユニット
２  縦桟
３  前垂
４  カウンタ
５  空所
６  前板
７  引出し
９  レール
１０  バックガード
【図１】
2005304867.tif 000003
【図２】
2005304867.tif 000004
【図３】
2005304867.tif 000005
【図４】
2005304867.tif 000006
【図５】
2005304867.tif 000007